(57)【特許請求の範囲】
【請求項１】
原稿の読取り手段と、
読取り手段によって読取った１または複数枚の各ページの画像データと、画像データの各ページ内における位置を表す各ページ全体の目盛とを対応して、ストアするメモリと、
メモリにストアされている画像データの画像と前記目盛とを、各ページ毎に記録紙に印刷するプリンタと、
プリンタによって記録紙に画像データの前記画像とともに印刷された前記目盛に基づいて、前記画像の印刷画像領域（１１８）を設定する印刷画像領域設定手段と、
印刷画像領域設定手段の出力に応答し、設定された印刷画像領域（１１８）の画像データを前記メモリから読出して、その読出した画像データの画像を、プリンタによって記録紙に印刷させる制御手段とを含むことを特徴とする画像処理装置。
【請求項２】
プリンタは、記録紙に、
その記録紙の移動方向である副走査方向（５２）の左右同一位置に、直線状に同一間隔で、左右目盛（５６，５７，１１３，１１４）を印刷し、
副走査方向（５２）の上下同一位置に、直線状に同一間隔で、上下目盛（５８，５９，１１５，１６６）を印刷することを特徴とする請求項１記載の画像処理装置。
【請求項３】
読取り手段による原稿の読取り領域を設定する読取り領域設定手段をさらに含み、
制御手段は、読取り領域設定手段の出力に応答し、読取り領域の画像データだけを、前記メモリから読出して出力し、または読取り領域の画像データだけを、読取り手段から前記メモリにストアさせることを特徴とする請求項１または２記載の画像処理装置。
【請求項４】
請求項１〜３のうちの１つに記載される画像処理装置と、
前記メモリにストアされている画像データを、公衆電話回線を介して送信する送信手段とを含むことを特徴とするファクシミリ装置。
【発明の詳細な説明】
【０００１】
【発明の属する技術分野】
本発明は、画像処理装置、ファクシミリ装置に関し、たとえばカラー画像処理装置ならびにカラー画像読取り装置およびまたはカラー画像プリンタを装備したカラーファクシミリ装置に関する。
【０００２】
【従来の技術】
日本工業規格ＪＩＳ  Ａ４版、Ｂ４版などの紙に画像が印刷された原稿の不必要な画像を読取らず、または不必要な画像を印刷しない先行技術は知られている。たとえば特開平８−２５１３８５は、画像読取り時、プラテンカバーの白以外の着色に対する原稿地肌のコントラストに基づいて、原稿の端部の座標を検出し、その原稿の外部を各走査ライン毎にイレースして白色で印刷する構成を開示する。他の先行技術である特開平１０−６６０５は、画像が記録されるべき記録紙の先端余白および後端余白をキー入力操作で手動によって調整し、その余白を操作部のディスプレイに表示する構成を開示する。
【０００３】
これらの各先行技術はいずれも、原稿または記録紙の搬送される副走査方向の長さを設定して、読取らず、または印刷しない構成を有しており、したがって希望する領域だけを読取ったり、希望する領域だけに印刷を行うことは不可能である。
【０００４】
カラーファクシミリ装置等のカラー画像を取扱う装置では、カラー画像の伝送だけでなく、カラー画像を読取り、印刷できる機能を活用し、色々な目的に使用される。たとえば、写真を読取り、文字と合成して年賀状を作成するなど、家庭用の情報システムとして使用される。このため、読取った画像から、必要な領域を切り出すことは、大変重要な機能となってくる。原稿全体を読取る場合も記録紙の端部が着色して見苦しいことになる場合があり、原稿の周辺を白色で塗り潰すことが望まれている。
【０００５】
【発明が解決しようとする課題】
本発明は、原稿の画像の希望する領域だけを印刷することができるようにした画像処理装置、ファクシミリ装置を提供することである。
【０００６】
【課題を解決するための手段】
本発明は、原稿の読取り手段と、
読取り手段によって読取った１または複数枚の各ページの画像データと、画像データの各ページ内における位置を表す各ページ全体の目盛とを対応して、ストアするメモリと、
メモリにストアされている画像データの画像と前記目盛とを、各ページ毎に記録紙に印刷するプリンタと、
プリンタによって記録紙に画像データの前記画像とともに印刷された前記目盛に基づいて、前記画像の印刷画像領域（１１８）を設定する印刷画像領域設定手段と、
印刷画像領域設定手段の出力に応答し、設定された印刷画像領域（１１８）の画像データを前記メモリから読出して、その読出した画像データの画像を、プリンタによって記録紙に印刷させる制御手段とを含むことを特徴とする画像処理装置である。
【００１３】
本発明に従えば、メモリにストアされている画像データのうち、必要な印刷画像領域１１８だけを、操作者がたとえば２次元直交座標系で印刷画像領域設定手段によって設定することができる。こうして設定された印刷画像領域の画像データだけをメモリから読み出して出力する。これによって希望する画像データだけをメモリから出力することができるようになる。たとえばファクシミリ装置または複写機などにおいて、一旦、メモリにストアされた画像データの中から、操作者が希望する出力領域だけを導出することができ、使用性が向上する。
【００１４】
また本発明は、プリンタは、記録紙に、
その記録紙の移動方向である副走査方向（５２）の左右同一位置に、直線状に同一間隔で、左右目盛（５６，５７，１１３，１１４）を印刷し、
副走査方向（５２）の上下同一位置に、直線状に同一間隔で、上下目盛（５８，５９，１１５，１６６）を印刷することを特徴とする。
【００１５】
本発明に従えば、メモリには、各ページ毎の画像データと、その画像データの各ページの位置を表す目盛とが対応してストアされており、設定される読取り領域の画像データが、各ページ毎に１枚ずつ、記録紙にプリンタによって印刷され、さらに、その画像データの位置を表す目盛も、各ページ毎に印刷される。したがって、この記録紙に印刷された画像と目盛とを対応して試し印刷し、それ以後に印刷する画像データの画像の印刷画像領域を、希望するように正確に設定することが可能になる。出力手段は、画像を記録紙に印刷するプリンタであり、さらに陰極線管または液晶などの目視表示を行う構成を有してもよい。
【００１７】
目盛は、１ページ分の記録紙の上下左右にそれぞれ直線状に等間隔をあけて形成された表示部から成り、これによって印刷画像領域の設定が容易になる。
【００１８】
また本発明は、読取り手段による原稿の読取り領域を設定する読取り領域設定手段をさらに含み、
制御手段は、読取り領域設定手段の出力に応答し、読取り領域の画像データだけを、前記メモリから読出して出力し、または読取り領域の画像データだけを、読取り手段から前記メモリにストアさせることを特徴とする。
【００１９】
本発明に従えば、読取り手段によって読取られた原稿などのデータは、メモリにストアされ、このメモリにストアされている画像データのうち、読取り領域設定手段によって設定された領域の画像データだけが、メモリから読出されて出力される。こうして原稿に記録されている画像のうち、希望する読取り領域だけが、たとえば２次元直交座標系における希望する領域だけが、メモリから読出されて出力される。こうして読取った画像から、必要な部分だけを切出すことができる。
本発明の実施の他の形態では、読取り領域設定手段によって設定された領域だけを読取り、その読取った画像データを、読取り手段から導出してメモリにストアし、このメモリにストアされた画像データを読出して出力するようにしてもよい。
読取り領域設定手段は、読取り手段による原稿の読取り領域を設定し、たとえば２次元直交座標系における読取り領域を設定し、こうして設定された読取り領域の画像データだけを、読取り手段から出力する。
このようにして、原稿の画像の２次元の読取り領域を、操作者によって選択的に設定することができるので、希望する読取り領域だけを読取って画像データを得ることができるようになる。たとえばファクシミリ装置または複写機では、希望する読取り領域だけを出力することによって、原稿の不必要な領域を出力することがなく、希望する画像だけを出力することができる。特にメモリから読出した画像データおよび読取り手段からの画像データが、カラー画像のデータである場合、本発明では、読取り領域が設定されることによって、その原稿の周辺がカラープリンタなどによって印刷されることはなくなり、これによって原稿の周辺または記録紙の端部が着色して見苦しくなることは防がれる。
【００２０】
また本発明は、前述の画像処理装置と、
前記メモリにストアされている画像データを、公衆電話回線を介して送信する送信手段とを含むことを特徴とするファクシミリ装置である。
【００２１】
本発明に従えば、ファクシミリ装置において、画像データを送信するに先立ち、原稿の読取り領域を設定し、またはメモリにストアした後の画像データの読出して出力すべき出力領域を設定し、こうして希望する領域だけを、公衆電話回線を介して送信手段によって送信し、相手方のファクシミリ装置に与えることができる。
【００２５】
【発明の実施の形態】
図１は、本発明の実施の一形態のカラーファクシミリ装置５１の全体の構成を示すブロック図である。公衆電話回線である回線網２１とファクシミリ装置５１とは、網制御装置２２で接続される。網制御装置２２は、公衆電話回線網２１の監視を行うとともに、回線網２１を、送受話器２１１、モデム２３に切換え接続し、また送受話器２１１による電話機能を達成する。モデム２３は、画像のデジタル信号を回線網２１に適したアナログ信号に変調するとともに、回線網２１のアナログ信号を画像のデジタル信号に復調する。
【００２６】
制御装置２４は、メモリ２８とあいまって、操作ボタンを含む読取り領域１６の設定および印刷範囲１１２の設定を行う入力手段２９、ダイヤルボタンを含む入力手段２１０からの使用者の入力、指示情報、回線網２１からの情報、装置５１内の各ユニットからの状態を示す信号、等により装置の動作を確定し、各ユニットに動作の指示を行い、回線網２１に必要な信号を送出し、表示装置２１２に情報、ガイダンスの表示の指示を行う。さらに、制御装置２４で画像信号の情報圧縮、伸長が行われるが、ＭＨ方式（Modified Huffman符合化方式）、ＭＲ方式（Modified READ符合化方式）等の単色画像の圧縮、伸長とともに、カラー画像用として、ＩＴＵ−Ｔ（International Telecommunication Union-Telecommunication Standardization Sector  国際電気通信連合ＩＴＵ傘下の電気通信標準化部門）勧告によるＪＰＥＧ方式（Joint Photographic Coding Experts Group符合化方式）の圧縮、伸長が行われる。また、画像読取り時に用いられる加色の３原色であるＲ（赤），Ｇ（緑），Ｂ（青）３原色で表現されたカラー画像、印刷に用いられる減色の３原色であるＣ（シアン）、Ｍ（マゼンダ）、Ｙ（イエロー）、３原色で表現されるカラー画像、送受信時に用いられるＬ*，ａ*，ｂ*直交座標系の輝度データＬ*、第１色差データａ*および第２色差信号ｂ*、カラー空間座標で表現されるカラー画像を相互に変換する機能を持っている。
【００２７】
カラー画像メモリ２５は、受信した画像、カラー画像読取り装置２７で読取った画像等をストアして記憶するユニットであり、このユニットを装備したファクシミリ装置５１は、画像の転送、同報等の高度の機能を持たせることができる。カラー印刷装置であるプリンタ２６は、カラー画像を印刷する必要があり、カラーインクジェットプリンタ、カラー静電式プリンタ、カラーサーマル転写プリンタ等のカラーを印刷できる印刷メカニズムを採用している。カラー画像読取り装置２７は、カラー画像を読取るため、３色の光源たとえばＬＥＤ（発光ダイオード）、蛍光燈等を１主走査読取りライン毎に順次点灯して読取る構成、３色の色フィルタをそれぞれ装備した３色分のＣＣＤ（電荷結合素子）等の光電変換センサを用いて読取る構成等を有する。
【００２８】
カラー画像を印刷するメカニズムとして、写真の銀塩フィルム、昇華型サーマル転写方式のように各ピクセルの３原色が多段階の階調を持つ方式と、通常のインクジェット方式のように各色がドットの有る無しの２階調しか表現できない方式がある。後者の場合、中間調を表現する場合、ディザ法、誤差拡散法等の疑似中間調表現を活用する。プリンタ２６のドット数が受信した画像より多い場合、先ず、受信した画像をプリンタ２６の解像度に合わせて各プリンタの各ドットに対し、内挿法により各色の３原色Ｃ，Ｍ，Ｙの濃度を決定し、その後、プリンタ２６の解像度で、各原色毎に前記疑似中間調の技法で、各印刷ドット毎に２値のうちどちらか、すなわち印刷ドットの有る無しを決定する。
【００２９】
図２〜図４に本発明の余白指定方法を示す。図２の読取り原稿１１を、副走査方向５２に移動しつつ、その副走査方向５２に垂直な主走査方向５３に平行に多数の受光素子が配列されたラインイメージセンサを用いて、カラー画像を読取るとき、その読取り範囲を指定する。図２に示すように、読取り原稿１１の主走査方向５３の範囲を位置ＸＲ１からＸＲ２まで、副走査方向５２を位置ＹＲ１からＹＲ２までの各入力を、入力手段５４によって行い、その指定された範囲、読取り領域１６を読取り、カラー画像メモリ２５に記憶する。もちろん、読取ったカラー画像を直接伝送することも、カラー画像印刷のためのプリンタ２６で印刷することも可能である。読取り範囲の指定は、入力手段５４から行う。Ｘ方向（主走査方向５３）、Ｙ方向（副走査方向５２）のいずれか指定が無い場合は、その指定が無い方向は、端部まで読取られる。入力手段５４の操作によって、読取り手段２７による原稿１１の読取り領域１６を設定する。メモリ２５には、読取り手段２７によって読取られた原稿１１の全領域の画像データがストアされる。制御装置２４は、入力手段５４によって設定された読取り領域１６の画像データだけを、メモリ２５から読出して出力し、網制御手段２２を介して網２１からファクシミリ送信される。
【００３０】
本発明の実施の他の形態では、入力手段５４によって設定された読取り領域１６の画像データだけを、読取り手段２７からメモリ２５にストアするようにしてもよい。
【００３１】
本発明の実施のさらに他の形態では、入力手段５４によって設定された読取り領域だけの画像データを、読取り手段２７から、網制御手段２２を介して網２１に送信して出力するようにしてもよい。このとき、メモリ２５は用いられなくてもよい。本発明の実施の他の形態では、網２１を介して網制御手段２２によって受信された他のファクシミリ装置からの画像データを、制御装置２４によってメモリ２５に受信したすべての画像データをストアしておく。入力手段５４によって、画像の出力領域を設定し、制御装置２４は、その設定された出力領域の画像データをメモリ２５から読出して、カラー印刷を行うプリンタ２６によって、次に述べる図３および図４に示される記録紙１７，１１７の各範囲１１２，１１８に出力して印刷する。メモリ２５にストアされた画像データは、表示手段２１２によって表示され、操作者は、入力手段５４を操作し、記録紙１７，１１７に印刷される範囲１１２，１１８を、設定することができる。この設定のために、次に述べるスケール５６〜５９，１１３〜１１６が有利に用いられる。
【００３２】
図３は、本発明の実施の形態の記録紙１７に印刷範囲１１２を設定して印刷する構成を説明するための図である。記録紙１７上における画像の印刷領域１１２を決定する場合、事前に画像の全体を試し印刷し、そのとき、後述の図４の目盛であるスケール５６〜５９，１１３〜１１６を併せて印刷し、そのスケールで印刷領域１１２を入力手段５４の操作で決定する。
【００３３】
図４は、記録紙１１７に、副走査方向５２の左右一対のスケール１１３，１１４と上下一対のスケール１１５，１１６とを印字した状態を示す図である。各スケールは、参照符５６，５７；５８，５９で示されるように一直線状に等間隔をあけて印刷される。各目盛５６，５７は副走査方向５２の左右同一位置に、同一間隔で印刷して形成される。また上下の目盛５８，５９は、副走査方向５２の上下同一位置に、直線状に同一間隔で形成され、同一位置に印刷して形成される。
【００３４】
カラー画像メモリ２５に記憶されている画像のメモリ２５から読出して印刷する印刷範囲１１２を指定する。たとえば、写真を読込み、その中で必要な部分を選択し、文字と合成して年賀状を作成する等のカラー画像を処理する用途は、ファクシミリ装置等がカラーを扱うことにより、家庭用画像処理システムとして必要である。メモリ２５に一旦、記憶した画像をプリンタ２６で印刷し、その中で必要な領域を指定する。この場合、印刷する画像に目盛であるスケール５６〜５９，１１３〜１１６を印刷することは、印刷範囲１１２およびカラー印刷画像領域１１８を正確に指定でき、非常に便利である。記録紙１７の主走査方向にＸＷ１，ＸＷ２で範囲を指定し、副走査方向はＹＷ１，ＹＷ２で範囲を指定し、その指定座標で囲まれた印刷領域１１２のみ印刷される。Ｘ方向（主走査方向５３）、Ｙ方向（副走査方向５２）いずれか指定が無い場合、その方向は、記録紙１７，１１７の端部まで印刷される。
【００３５】
カラー画像印刷を行うプリンタ２６は、記録紙１７，１１７を正確に送紙しても１枚毎にそのページの印刷位置は、ずれることが予想され、またカラー画像に通常のスケールを当てても、カラー画像印刷装置２６の紙送り等の精度によっては、画像の大きさにずれがある。この場合、カラー画像記憶装置２５に直接にスケール５６〜５９，１１３〜１１６を書込むことは、カラー画像メモリ２５内のカラー画像の位置とスケールの位置が誤差を生ずることがなく、このスケールで印刷範囲を指定すると、正確に画像の位置を入力手段５４によって指定できる。メモリ２５には、各ページ毎の画像データが、記録紙１７，１１７の位置に対応してストアされ、こうしてメモリ２５にストアされて設定された出力領域の画像データと、その画像データの位置を表す各ページ全体の目盛５６〜５９，１１３〜１１６とが対応してストアされる。
【００３６】
記録紙１１７の上下、左右の端部付近にＸスケール上１１５、Ｘスケール下１１６、Ｙスケール左１１４、Ｙスケール右１１３が印刷されている。本発明では、スケールの位置は図４の位置に限定しない。カラー印刷画像１１８は記録紙１１７の中心部にある場合が多く、端部は余白の場合が多い。画像の重要部分は中心にあることが多いので、スケールの位置は、図４のように記録紙１１７の上下および左右の端部付近の位置が望ましい。
【００３７】
図５は、制御装置２４の動作を説明するためのフローチャートである。入力がスタート（ステップ３１）すると、キー入力の組合わせにより登録モードに設定（ステップ３２）する。読取り指定モード（ステップ３３）がＹＥＳとなりステップ３４に移る。ステップ３４では、操作部の表示装置２１２にＸ方向入力指示が表示（ステップ３４）されるため、図２の位置ＸＲ１，ＸＲ２を入力（ステップ３５）する入力方法として、図５のフローチャートには図示していないが、Ｘ方向の読取り画像の両端の座標を入力する方法以外に図２の原稿１１の主走査方向５３の中央、すなわち用紙センター１１９からの距離１２０で入力することもできる。
【００３８】
続いて、表示装置２１２にＹ方向の入力指示（ステップ３６）が出るため、図２の位置ＹＲ１，ＹＲ２を入力（ステップ３７）する。あるいは、先端から読取る場合、先端６１からの距離１２１を指定することもできる。これは、位置ＹＲ２のみの入力で達成される。原稿１１を読取る指示を入力手段２９の操作ボタンより入力（ステップ３８）すると、カラー画像読取り装置２７にセットされた原稿の読取り領域１６を読取って（ステップ３９）、カラー画像メモリ２５に記憶（ステップ３１０）され、待機状態（ステップ３１２）に戻る。
【００３９】
またステップ３３の判断がＮＯとなり、ステップ３１３の判断がＹＥＳとなると、ステップ３１４に移る。以下、前述の場合と同じく、図３の座標を入力（ステップ３１４〜３１７）し、入力手段２９の操作ボタンの印刷の指示（ステップ３１８）で指定領域を印刷（ステップ３１９）し、待機状態（ステップ３１２）に戻る。
【００４０】
各ステップ３３，３１３の判断がＮＯとなり、判断スケール印刷モード（ステップ３２０）がＹＥＳとなると、ステップ３２２に移り、カラー画像メモリ２５に記憶されているカラー画像に図４のスケール５６〜５９，１１３〜１１６を合成（ステップ３２２）する。この合成はスケール５６〜５９，１１３〜１１６の黒線の相当するメモリ２５のアドレスのストア内容を強制的に黒色に書換えることで達成できる。入力手段２９の操作ボタンからの印刷指示（ステップ３２３）でスケール付きのカラー画像を印刷（ステップ３２４）し、待機状態（ステップ３１２）に戻る。
【００４１】
カラーファクシミリ装置などカラー画像を扱うシステムでは、ファクシミリ装置としての使用目的だけでなく、カラー画像を扱う各種用途に活用される。カラー画像の一部を切り出したり、他の画像と合成するなど、画像処理の能力を強化することができる。カラー画像の読取り部分を指定することができ、カラー画像印刷の印刷部分が指定できるので、目的に応じて、カラー画像の処理が可能となり、活用される目的が大幅に増加することができる。印刷画像にスケールが合成されるが、これにより領域の指定の精度の向上が期待できる。
【００４２】
なお、これまでの説明では、読取り、印刷ともに１箇所の長方形の領域を指示していたが、いずれの場合も複数の長方形の場所を指示し、その指示を繰返すことにより複雑な形状の領域の指定も可能である。このためには、Ｘ方向、Ｙ方向の指示の部分を繰返すことで達成できる。登録モードには、上記以外の色々な情報、データを登録する必要があり、この場合、判断（ステップ３２０）がＮＯとなり、その他各種データ登録（ステップ３２１）に移行する。
【００４３】
本発明は、カラーだけでなくモノクロの画像処理装置に関連しても、実施することができる。
【００４４】
【発明の効果】
本発明によれば、メモリにストアされている画像データの出力時に同時に、各ページ全体の目盛とを出力するので、希望する画像データの印刷画像領域を、この目盛を見ながらさらに正確に出力領域設定手段によって操作者が設定することが容易に可能になる。
プリンタによって、各ページ毎に領域が設定された画像を記録紙に印刷することができ、このことは特に希望する写真または文字などの出力領域だけを正確に記録紙に印刷することが容易に可能になる。
【００４７】
原稿を読取る読取り手段の読取り領域を設定してその設定された読取り領域の画像データをメモリにストアすることによって、原稿の希望する位置の原稿像だけをメモリにストアすることができ、またメモリのストア容量を低減することができる。読取り手段によって読取った原稿の全ての画像データをメモリにストアし、そのメモリから、設定された読取り領域だけの画像データを読出して出力するようにしてもよく、このような構成によってもまた、希望する読取り領域だけの画像データを得ることができる。したがって原稿の希望する読取り領域だけの画像データを得る使用性が向上される。
【００４８】
読取り手段によって読取った原稿の画像データのうち、設定された読取り領域だけの画像データを出力し、このような画像データをメモリにストアすることなく導出してもよく、またはメモリに一旦、ストアしてもよい。こうして希望する領域の画像データだけを得ることができるようになり、使用性が向上される。
目盛を直線状に配置された等間隔の表示部によって構成し、１または複数の各ページの左右一対および上下一対に形成することによって、縦および横の印刷画像領域の設定を、さらに正確に行うことが容易に可能になる。
【００４９】
メモリにストアされている画像データのうち、設定された出力領域だけの画像データを読出して出力し、これによって希望する出力領域の画像データを得ることができ、使用性が高まる。
【００５０】
本発明によれば、原稿の画像データの設定された読取り領域またはメモリにストアされている画像データの設定された出力領域だけを、送信手段によって公衆電話回線を介して送信し、こうして希望する領域の画像データだけを送信することができる使用性に優れたファクシミリ装置が実現される。
【００５３】
原稿の設定された読取り領域を、読取り手段によって読取って、その読取り領域の画像データを、メモリにストアすることなく直接に出力し、またはメモリに一旦、ストアしてもよく、さらにメモリにストアされている画像データのうち、設定された出力領域の画像データだけを、メモリから読出して出力し、このようにして出力する画像データの領域を、希望する領域に選択的に定めることができ、使用性が高まる。たとえばファクシミリ装置において、読取り領域において設定された原稿の画像データを直接に送信手段によって公衆電話回線を介して送信し、受信手段によって受信された相手方ファクシミリ装置からの画像データをメモリにストアし、そのメモリにストアされた画像データのうち、希望する出力領域だけを読出して記録紙に印刷し、または画面に目視表示することが可能である。こうして使い勝手が向上される。
【図面の簡単な説明】
【図１】本発明の実施の一形態のカラーファクシミリ装置５１の全体の構成を示すブロック図である。
【図２】本発明の読取りの余白指定方法を説明するための読取り原稿１１を示す図である。
【図３】  本発明の実施の形態の記録紙１７に印刷範囲１１２を設定して印刷する構成を説明するための図である。
【図４】記録紙１１７に、左右のスケール１１３，１１４と上下のスケール１１５，１１６とを印字した状態を示す図である。
【図５】制御装置２４の動作を説明するためのフローチャートである。
【符号の説明】
１１  読取り原稿
１６  読取り領域
１７，１１７  記録紙
２１  回線網
２２  網制御装置
２３  モデム
２４  制御装置
２５，２８  メモリ
２６  プリンタ
２７  画像読取り装置
２９  操作ボタンを含む入力手段
５１  ファクシミリ装置
５２  副走査方向
５３  主走査方向
５６，５７；５８，５９  目盛
１１２  印刷領域
１１３，１１４  左右のスケール
１１５，１１６  上下のスケール
１２０  距離
２１０  入力手段
２１２  表示装置
【図１】
0003717337.tif 000002
【図２】
0003717337.tif 000003
【図３】
0003717337.tif 000004
【図４】
0003717337.tif 000005
【図５】
0003717337.tif 000006